(57)【要約】【課題】  携帯時に専用のホルダーを用いることなく、管理対象者に無線タグを携帯させる手段およびこれを用いた管理システムを提供する。【解決手段】  ネクタイ１に無線タグ６を付設または内蔵させて、前記無線タグ付設ネクタイ１を着用・携帯する管理対象者の特定管理エリアへの入退場管理を行う。【選択図】  図１
2007126792.tif 000002
【特許請求の範囲】
【請求項１】
大剣部と小剣部と中つぎ部と小剣通し部とからなるネクタイであって、前記ネクタイの少なくとも一部に無線タグが付設されてなることを特徴とするネクタイ。
【請求項２】
前記無線タグは、前記小剣通し部に取り付けてなることを特徴とする請求項１記載のネクタイ。
【請求項３】
前記小剣通し部は、前記無線タグの収納または付設機能を有することを特徴とする請求項１または請求項２のいずれかに記載のネクタイ。
【請求項４】
前記小剣部の少なくとも一部が電波を通過させない材質からなることを特徴とする請求項１ないし請求項３のいずれかに記載のネクタイ。
【請求項５】
前記小剣部の少なくとも一部に電波を通過させない部材を付設してなることを特徴とする請求項１ないし請求項４のいずれかに記載のネクタイ。
【請求項６】
無線タグが付設されてなるネクタイを着用して、第１のリーダライタおよび情報記憶処理装置に接続されてなる無線アンテナが配された特定領域の入退室口を通過する際に、前記ネクタイに付設された前記無線タグと前記第１のリーダライタが通信することにより、入退室管理を行うことを特徴とする管理システム。
【請求項７】
前記無線タグが付設されてなるネクタイ収納領域近傍に第２のリーダライタを接続してなる無線アンテナを配し、前記ネクタイが前記収納領域に収納または取出された時に前記無線タグは、前記第２のリーダライタと通信することにより、前記無線タグ情報を一元管理することを特徴とする請求項６記載の管理システム。
【発明の詳細な説明】
【技術分野】
【０００１】
本発明は、内部に少なくとも１つのＩＣチップ、及びアンテナを有し、データを無線で通信することが可能な無線タグ付ネクタイおよびこれを用いた管理システムに関するものである。
【背景技術】
【０００２】
非接触での通信を可能とする手段の中で、無線を用いて認証等を行うものは大別すると非接触ＩＣカードと無線タグがある。非接触ＩＣカードは主に人間が携帯し、例えば事務所、特定建造物、特定管理エリア、鉄道等の交通機関の駅への入退場管理に使用される。一方、無線タグは主に物品に貼付されて、例えば、物品の生産や流通管理に用いられ、従来利用されていたバーコードの高機能化手段として期待されている。
【０００３】
特定管理エリアへの入退場者ＩＤ確認用として非接触ＩＣカードを使用する場合は、管理対象者は、特定管理エリアへの入退場の都度、非接触ＩＣカードを取り出し、リーダライタに読み込ませなければならず、例えば、手に荷物を持っている場合は、非接触ＩＣカードをリーダライタにかざして読み込ませるために、荷物を置く必要があり、煩雑であった。
【０００４】
このような状況を解消するためにはＩＣカード収納用ホルダーに、非接触ＩＣカードを収納し、例えば会社の入退室管理に用いる場合は、勤務中は、このホルダーを首からかけるなどして常時携帯していた。しかしながら、このような非接触ＩＣカードは、身分証明書を兼用する場合が一般的なので、会社への出社時に、ホルダーに装着し、かつ退社時には、ホルダーから取り出して、財布やカバンに収納する必要があり、これもまた煩雑であった。また、このような非接触ＩＣカードの移動に伴い、紛失の機会も増大していた。
【０００５】
さらに、非接触ＩＣカードの代替として、無線タグを用いることも考えられる。無線タグは、非接触ＩＣカードに較べて、小型であるので、携帯する場合は、紛失の可能性がさらに増大する。無線タグを物品に付設する手段として、従来、ひもやクリップを用いることが提案されており、例えば特許文献１がある。
【０００６】
図５は従来の実施例を示す図である。クリップ式ホルダー１４には、無線タグ収納部１５があり、無線タグを収納した状態で物品に付設する。
【０００７】
しかしながら、使用の都度、無線タグを物品に付設し、未使用時に取り外す作業が必要であり、非接触ＩＣカードをカードホルダーに入れて用いるのとなんらかわりはない。
【０００８】
また、例えば特定の衣服に直接無線タグを縫いつけ、特定エリア内からの入退場のみを監視する方法も提案されており、例えば特許文献２がある。
【０００９】
しかしながら、例えば従業員の出勤管理として、会社敷地内への入退出管理を行う場合は、従業員はいわゆる私服を着用して出勤するために、毎日、異なる衣服を用いる。従って、例えば特許文献２に開示されている衣服と監視器は、上述の出勤管理には適用できない。
【特許文献１】特開２００５−２１６２７５号公報
【特許文献２】実用新案登録３１０６９３６号公報
【発明の開示】
【発明が解決しようとする課題】
【００１０】
本発明の技術的課題は、携帯時に専用のホルダーを用いることなく、管理対象者に無線タグを携帯させる手段およびこれを用いた管理システムを提供することにある。
【課題を解決するための手段】
【００１１】
本発明は、特定の無線タグをカードホルダーやクリップなどの収納体に収納して、使用の都度、管理対象者に携帯させるのではなく、ネクタイに無線タグを付設または内蔵させて、前記無線タグ付設ネクタイを着用・携帯する管理対象者の特定管理エリアへの入退場管理を行うものである。
【００１２】
また、特定の利用者が使用する複数のネクタイに付設された無線タグの情報を一元管理するために、前記ネクタイの収納領域、すなわち、タンス、ロッカー、クローゼット、ネクタイ掛け等の近傍すなわち、内部や外部または周辺部に無線アンテナを配して、使用したネクタイに付設された無線タグに記憶された管理情報を、使用の都度、リーダライタで読み取り、情報を共有化する。
【００１３】
本発明によれば、大剣部と小剣部と中つぎ部と小剣通し部とからなるネクタイであって、前記ネクタイの少なくとも一部に無線タグが付設されてなることを特徴とするネクタイが得られる。
【００１４】
本発明によれば、前記無線タグは、前記小剣通し部に取り付けてなることを特徴とするネクタイが得られる。
【００１５】
本発明によれば、前記小剣通し部は、前記無線タグの収納または付設機能を有することを特徴とするネクタイが得られる。
【００１６】
本発明によれば、前記小剣部の少なくとも一部が電波を通過させない材質からなることを特徴とするネクタイが得られる。
【００１７】
本発明によれば、前記小剣部の少なくとも一部に電波を通過させない部材を付設してなることを特徴とするネクタイが得られる。
【００１８】
本発明によれば、無線タグが付設されてなるネクタイを着用して、第１のリーダライタおよび情報記憶処理装置に接続されてなる無線アンテナが配された特定領域の入退室口を通過する際に、前記ネクタイに付設された前記無線タグと前記第１のリーダライタが通信することにより、入退室管理を行うことを特徴とする管理システムが得られる。
【００１９】
本発明によれば、前記無線タグが付設されてなるネクタイ収納領域近傍に第２のリーダライタを接続してなる無線アンテナを配し、前記ネクタイが前記収納領域に収納または取出された時に前記無線タグは、前記第２のリーダライタと通信することにより、前記無線タグ情報を一元管理することを特徴とする管理システムが得られる。
【発明の効果】
【００２０】
本発明により、携帯時に専用のホルダーを用いることなく、紛失をも防止することが可能な無線タグ携帯手段およびこれを用いた管理システムを提供することが可能となった。
【発明を実施するための最良の形態】
【００２１】
本発明は、特定の無線タグをカードホルダーやクリップなどの収納体に収納して、使用の都度、管理対象者に携帯させるのではなく、ネクタイに無線タグを付設または内蔵させて、前記無線タグ付設ネクタイを着用・携帯する管理対象者の特定管理エリアへの入退場管理を行うものである。
【００２２】
また、特定の利用者が使用する複数のネクタイに付設された無線タグの情報を一元管理するために、前記ネクタイの収納領域、すなわち、タンス、ロッカー、クローゼット、ネクタイ掛け等の近傍すなわち、内部や外部または周辺部に無線アンテナを配して、使用したネクタイに付設された無線タグに記憶された管理情報を、使用の都度、リーダライタで読み取り、情報を共有化する。
【００２３】
無線タグは、ネクタイ製造時に製造業者が縫い込む、接着するなどしてあらかじめ付設しても良く、ネクタイ購入者もしくはネクタイ利用者が縫い込む、接着するなどして付設しても良い。設置する場所はネクタイの一部であれば、どの部分でも良いが、デザイン性を考慮して、ネクタイの裏面もしくはネクタイの裏面に通常設けられるループ状の小剣通し部に付設するのが好ましい。
【００２４】
また、ネクタイの一部にあらかじめポケット状の収納部や、ひも、クリップ、テープなどの無線タグ収納機能または付設機能を設けて、無線タグを着脱可能に付設してもよい。この場合、ネクタイの一部であれば、上記機能の設置場所は問わないが、デザイン性や操作性、耐久性などを考慮すると、ネクタイの裏面や、前記小剣通し部に設けるのが好ましい。
【００２５】
前述のようにネクタイに付設した無線タグは、利用者が着用した状態で、アンテナを介して、リーダライタと通信する。この場合に悪意の第３者等へのＩＤ番号やその他情報の漏洩防止のために、ネクタイの少なくとも無線タグ付設部近傍を、電波を通過させない材質、例えば、ポリエステル等の繊維にＦｅ−Ｎｉ系合金、センダスト、アモルファス合金等の金属コーティングしたものや、前記金属で作製した糸状体を織り込んで形成するのが良い。ネクタイの小剣部は、通常、小剣通し部に差し込んで着用するので、着用時には、無線タグを覆い、外部からの情報読み取りを防止する。従って特に小剣部を上記材質で形成するのが良いが、着用時に無線タグを覆う部分であれば、どの部分でも良い。
【００２６】
また、同様の理由から、ネクタイの小剣部に、電波を通過させない材質からなる部材、例えば、ポリエステル等の繊維にＦｅ−Ｎｉ系合金、センダスト、アモルファス合金等の金属コーティングしたもので作製した織布もしくは不織布、ポリエステル等の織布もしくは不織布に前記金属をコーティングした布、前記金属糸を単体もしくは他の繊維と混合して作製した織布または不織布、前記金属箔、前記金属粉末と樹脂の混合物を付設するのが良い。また、これらの布は、後付しても織り込んでも良く、後付する場合にはネクタイの裏面や内面に接着しても、縫いつけてもよい。着用時に無線タグを覆う構成であればよいので、着用時に無線タグを覆う部分であれば、どの部分でも良く、大剣部に付設、内蔵させてもよい。
【００２７】
無線タグの新設、廃棄に伴うＩＤ情報のメンテナンスや、管理上必要な種々の情報のメンテナンスは、入退出口や、ネクタイ収納領域近傍に設けられた無線アンテナを介して、リーダライタや情報記憶処理装置を用いて行う。
【００２８】
また、本発明で用いる無線タグは、システム全体で固有の仕様を定めたものを用いても良いが、汎用性を考慮すると、ＩＥＥＥの標準規格を満たすものを用いるのがより好ましい。
【００２９】
なお、本発明が対象としている管理システムは、通常の無線タグを用いた管理システムであれば、特に阻害要因がない限り、いずれのシステムにも適用することができるが、特定領域への入退場管理システムに特に有効である。
【００３０】
以下、本発明の実施の形態について図面を参照しながら説明する。
【実施例】
【００３１】
（実施例１）
図１は、本発明の実施例を示す図である。図１（ａ）は、本発明のネクタイ全体の説明図で、ネクタイ裏面を示す。図１（ｂ）は、図１（ａ）に示したネクタイの大剣部拡大図である。
【００３２】
ネクタイ１は、小剣部２、中つぎ部３、大剣部４からなり、小剣部２と大剣部４は、中つぎ部３を介して、連続して形成されている。大剣部４には、小剣通し部５が別部材で付設されており、着用時には、小剣部２をループ状の小剣通し部５に差し込むのが一般的である。
【００３３】
図１（ｂ）に示すように、小剣通し部５には無線タグ６が縫いつけられている。該無線タグは、タグ内部に、図示していないＩＣチップとアンテナを有しており、ＩＣチップ内のメモリに、本無線タグの固有ＩＤ番号および入退出管理に必要な情報が記録されている。
【００３４】
管理対象者Ａは、上記構成で色や模様、材質の異なるネクタイ１０本について、各々のネクタイに付設された無線タグ固有のＩＤ番号を管理対象者Ａの個人ＩＤ番号と関連付ける処理およびネクタイの管理に必要な情報入力処理を、勤務先の情報記憶処理装置および自宅の情報記憶処理装置に対して行った。なお、管理対象者Ａは、自宅のクローゼット内部に、無線タグ用リーダライタにケーブル接続された無線アンテナを設置し、該無線アンテナが各ネクタイに付設された無線タグを検出可能なように、前記ネクタイを収納した。また、該リーダライタを、情報記憶処理装置として用いるパーソナルコンピュータに接続した。
【００３５】
管理対象者Ａは、上記１０本のネクタイの中から任意のネクタイ１を選択、着用し、勤務先の入退出口に設置された無線アンテナに接近した。リーダライタは無線アンテナを介して通信し、無線タグ６に登録された無線タグの固有ＩＤ番号を読み取り、この固有ＩＤ番号が情報記憶処理装置にあらかじめ登録されているか否かを確認した後、管理対象者Ａの個人ＩＤ番号と読み取った無線タグの固有ＩＤ番号とを照合し、入室を許可した。また、入退出時間や入退出口などの、入退出管理に必要な情報を、情報記憶処理装置に記録した。
【００３６】
この場合、無線タグ６は、従来から用いられている非接触ＩＣカードと同じ機能を実現している。すなわち、入退室時には無線タグ６が付設されたネクタイ１を着用したまま、図示していないリーダライタの無線アンテナに近づくことによりリーダライタと無線タグ６との間で通信を行い、照合の結果、許可されている固有ＩＤ番号と認められた場合のみ入退室を許可する。
【００３７】
一般的に非接触ＩＣカードは高機能が要求されるために、消費電力量が多く、通信距離は数ｃｍ程度である。従って、非接触とはいうものの、実用的には、アンテナ近傍にＩＣカードをかざさなければ通信出来ない。しかしながら、無線タグの場合は構成が簡単で、機能も簡略化されているため、消費電力量も少なく、数十ｃｍから１ｍ程度の離間していても、通信可能となる。従って、無線タグの場合はかざす行為が不要であり、管理対象者が無意識であっても、リーダライタは、無線タグを認識し、条件が整えば、通過が許可され、情報を蓄積できる。
【００３８】
さらに、本発明のように、管理対象者の多くが、勤務中に着用することが多いネクタイに無線タグを取り付けていれば、無線タグを紛失するという問題も生じにくく、入退出の都度、無線タグを財布等から出し入れする手間も省くことができる。
【００３９】
（実施例２）
図２は本発明の実施例を示す図で、図１に示したネクタイと基本構成が同一のネクタイの、大剣部４の裏面を拡大した説明図である。小剣通し部７は、袋状になっており、有蓋ポケットの形態を採用している。ポケット内部には無線タグ６が着脱可能であるが、落下しないように収納されている。該無線タグの構成、機能および動作は実施例１で用いたものと同じである。
【００４０】
本実施例に於けるネクタイは、無線タグ６の交換、廃棄が簡単であり、ネクタイを廃棄する場合には、無線タグ６の再利用も可能である。
【００４１】
このネクタイを用いて、実施例１と同様に、無線タグの固有ＩＤ番号を登録して、入退出管理に用いたところ、着用したまま、入退出許可および情報蓄積が円滑に行われた。また、固有ＩＤ番号をあらかじめ登録しない無線タグ６を小剣通し部７に収納したネクタイを着用して同様の実験を行ったところ、入出できなかった。
【００４２】
（実施例３）
図３は本発明の実施例を示す図である。図３（ａ）は、本発明のネクタイ全体の説明図で、ネクタイ裏面を示す。図３（ｂ）は、図３（ａ）に示したネクタイの大剣部拡大図である。
【００４３】
ネクタイ１は、小剣部２、中つぎ部３、大剣部４、電波遮蔽材８からなり、小剣部２と大剣部４は、中つぎ部３を介して、連続して形成されている。大剣部４には、小剣通し部５が別部材で付設されており、着用時には、小剣部２をループ状の小剣通し部５に差し込むのが一般的である。
【００４４】
図３（ｂ）に示すように、小剣通し部５には無線タグ６が縫いつけられている。また、小剣部２の裏面には、小剣部２を小剣通し部５に差し込んで着用した時に、小剣通し部５に当接する部分およびその周辺部に、電波遮蔽材８が縫いつけられている。
【００４５】
該無線タグは、タグ内部に、図示していないＩＣチップとアンテナを有しており、ＩＣチップ内のメモリに無線タグの固有ＩＤ番号、及び入退出管理に必要な情報が記録されている。
【００４６】
電波遮断材８は、ポリエステル製の布にＦｅ−Ｎｉ系合金をコーティングした薄布を用いた。小剣通し部５に小剣部２を通して着用していれば、無線タグ６は、通信が遮断され、悪意のある第３者からの無線タグ６に記録された情報の読み取り等を防止することが出来る。なお、頻繁に入退室を繰り返したので、小剣部２を小剣通し部５から外しておいた。小剣部２を小剣通し部５から外し忘れた時には、ネクタイを軽く裏返して、無線タグ６とリーダライタの通信を行った。
【００４７】
（実施例４）
図４は本発明の実施例を示す図で、ネクタイ収納領域に於ける管理システムを説明する図である。
【００４８】
実施例１と同様の構成の無線タグ６ａ，６ｂ，６ｃ，６ｄが付設されたネクタイ１ａ，１ｂ，１ｃ，１ｄは、無線アンテナ１１が配されたネクタイ支持台１０のネクタイ支持棒９に掛けられ、収納されている。無線アンテナ１１は、ネクタイを支持棒９に掛けた時に、ネクタイに付設された無線タグが通信範囲内に入るよう配されており、ケーブル１２を介して、リーダライタ１３に接続されている。また、リーダライタ１３には図示しない情報記憶処理装置が接続されている。
【００４９】
管理対象者Ａは、色や模様、材質の異なる４本のネクタイ１ａ，１ｂ，１ｃ，１ｄに関して、各々のネクタイに付設された無線タグ６ａ，６ｂ，６ｃ，６ｄ固有のＩＤ番号と、管理対象者Ａの個人ＩＤ番号とを関連付ける処理およびその他必要な情報の入力処理を、勤務先の情報記憶処理装置および自宅の情報記憶処理装置に対して、事前に行っている。
【００５０】
管理対象者Ａは、上記４本のネクタイの中から任意のネクタイ１ａを選択、着用し、勤務先の入退出口を通過して帰宅した。勤務先においては、無線タグ６ａを用いて、実施例１に示した方法で入退出管理が行われた。帰宅後、管理対象者Ａは、着用していたネクタイ１ａを外し、ネクタイ支持棒９に掛けた。無線アンテナ１１は、ネクタイ１ａに付設されている無線タグ６ａを自動的に検出し、無線アンテナ１１およびケーブル１２を介して、リーダライタ１３と通信した。リーダライタ１３は、ネクタイ１ａの固有ＩＤ番号および入退出管理に必要な情報を読み取り、情報記憶処理装置に記憶させた。また、続いて無線タグ６ａのＩＣチップ内のメモリに、管理情報を記録した。なお、無線アンテナ１１は、管理対象者Ａが着用するために、任意のネクタイを支持棒９から外し、無線タグが無線アンテナ１１の通信範囲外に出ると、リーダライタ１３は、無線タグを検出することができなくなる。従って、無線タグの固有ＩＤ番号の検出可否により、使用中のネクタイが特定できる。
【００５１】
また、ネクタイを追加する場合は、ネクタイに付設された無線タグの固有ＩＤ番号を、管理対象者の個人ＩＤ番号と対応させて、管理に必要な情報を情報記憶処理装置に記憶させ、ネクタイを廃棄する場合は、関連する情報を削除すればよい。
【００５２】
必要に応じて、ネクタイの管理や入退出管理に必要な情報を、各ネクタイに付設されたすべての無線タグに対して、意図的もしくは自動的に追加、更新を行い、情報の共有化、一元化を図ってもよい。
【００５３】
以上、実施例を用いて、この発明の実施の形態を説明したが、この発明は、これらの実施例に限られるものではなく、この発明の要旨を逸脱しない範囲の設計変更があっても本発明に含まれる。すなわち、当業者であれば、当然なしえるであろう各種変形、修正もまた本発明に含まれることは勿論である。
【産業上の利用可能性】
【００５４】
本発明によれば、特定領域への入退出管理において、日常的に身につける衣料品や日用品に付設した無線タグを用いた汎用システムを簡便に構築することができる。
【図面の簡単な説明】
【００５５】
【図１】本発明の実施例を示す図、図１（ａ）は、ネクタイ全体の説明図、図１（ｂ）は、（ａ）に示したネクタイの大剣部拡大図。
【図２】本発明の実施例を示す図。
【図３】本発明の実施例を示す図、図３（ａ）は、本発明のネクタイ全体の説明図、図３（ｂ）は、図３（ａ）に示したネクタイの大剣部拡大図。
【図４】本発明の実施例を示す図。
【図５】従来の実施例を示す図。
【符号の説明】
【００５６】
１，１ａ，１ｂ，１ｃ，１ｄ    ネクタイ
２    小剣部
３    中つぎ部
４    大剣部
５，７    小剣通し部
６，６ａ，６ｂ，６ｃ，６ｄ    無線タグ
８    電波遮断材
９    ネクタイ支持棒
１０    ネクタイ支持台
１１    無線アンテナ
１２    ケーブル
１３    リーダライタ
１４    クリップ式ホルダー
１５    無線タグ収納部
【図１】
2007126792.tif 000003
【図２】
2007126792.tif 000004
【図３】
2007126792.tif 000005
【図４】
2007126792.tif 000006
【図５】
2007126792.tif 000007